【手続補正書】
【提出日】平成25年2月14日(2013.2.14)
【手続補正１】
【補正対象書類名】特許請求の範囲
【補正対象項目名】全文
【補正方法】変更
【補正の内容】
【特許請求の範囲】
【請求項１】
被検眼の断層画像を取得するための第１の光と、該被検眼の眼底画像を取得するためであり且つ該第１の光の光束径よりも大きい光束径である第２の光とをそれぞれ該被検眼に照射する照射手段と、
前記被検眼における前記第１の光の照射位置と該被検眼の眼軸とのずれ量を示す情報に基づいて該照射位置が前記眼底画像の取得可能な範囲内か否かを判断する判断手段と、
を有することを特徴とする眼科装置。
【請求項２】
前記判断手段により前記照射位置が前記範囲外であると判断された場合、警告表示を表示手段に表示させる表示制御手段を有することを特徴とする請求項１に記載の眼科装置。
【請求項３】
前記警告表示に対して前記第２の光の照射位置を移動するか否かの選択を待ち受ける状態となることを特徴とする請求項２に記載の眼科装置。
【請求項４】
前記判断手段により前記照射位置が前記範囲外であると判断された場合、前記第２の光を小さい光束径に変更する変更手段を有することを特徴とする請求項１乃至３のいずれか１項に記載の眼科装置。
【請求項５】
被検眼の断層画像を取得するための第１の光と、該被検眼の眼底画像を取得するためであり且つ該第１の光の光束径よりも大きい光束径である第２の光とをそれぞれ該被検眼に照射する照射手段と、
前記被検眼における前記第１の光の照射位置と該被検眼の眼軸とのずれ量を示す情報に基づいて前記第２の光を小さい光束径に変更する変更手段と、
を有することを特徴とする眼科装置。
【請求項６】
前記変更手段の変更に応じて可視光である前記第２の光により前記被検眼の眼底画像を取得することを特徴とする請求項４または請求項５に記載の眼科装置。
【請求項７】
前記判断手段により前記照射位置が前記範囲外であると判断された場合、前記被検眼における前記第２の光の照射位置を移動する移動手段を有することを特徴とする請求項１乃至３のいずれか１項に記載の眼科装置。
【請求項８】
被検眼の断層画像を取得するための第１の光と、該被検眼の眼底画像を取得するためであり且つ該第１の光の光束径よりも大きい光束径である第２の光とをそれぞれ該被検眼に照射する照射手段と、
前記被検眼における前記第１の光の照射位置と該被検眼の眼軸とのずれ量を示す情報に基づいて該被検眼における前記第２の光の照射位置を移動する移動手段と、
を有することを特徴とする眼科装置。
【請求項９】
前記移動手段の移動に応じて可視光である前記第２の光により前記被検眼の眼底画像を取得することを特徴とする請求項７または請求項８に記載の眼科装置。
【請求項１０】
被検眼の断層画像を取得するための第１の光と、該被検眼の屈折力を取得するためであり且つ該第１の光の光束径よりも大きい光束径である第２の光とをそれぞれ被検眼に照射する照射手段と、
前記被検眼における前記第１の光の照射位置と該被検眼の眼軸とのずれ量を示す情報に基づいて該照射位置が前記屈折力の取得可能な範囲内か否かを判断する判断手段と、
を有することを特徴とする眼科装置。
【請求項１１】
前記判断手段が、前記第１の光の照射位置における前記被検眼の眼底画像の明るさと該眼底画像と前記眼軸との距離とのうち少なくとも一方に基づいて前記判断を行うことを特徴とする請求項１乃至１０のいずれか１項に記載の眼科装置。
【請求項１２】
前記判断手段による判断を行う前に取得する前記被検眼の眼底画像が、赤外光により取得されることを特徴とする請求項１乃至１１のいずれか１項に記載の眼科装置。
【請求項１３】
被検眼の断層画像を取得するための第１の光と、該被検眼の眼底画像を取得するためであり且つ該第１の光の光束径よりも大きい光束径である第２の光とをそれぞれ該被検眼に照射する工程と、
前記被検眼における前記第１の光の照射位置と該被検眼の眼軸とのずれ量を示す情報に基づいて該照射位置が前記眼底画像の取得可能な範囲内か否かを判断する工程と、
を有することを特徴とする眼科装置の制御方法。
【請求項１４】
前記照射位置が前記範囲外であると判断された場合、警告表示を表示手段に表示させる工程を有することを特徴とする請求項１３に記載の眼科装置の制御方法。
【請求項１５】
前記警告表示に対して前記第２の光の照射位置を移動するか否かの選択を待ち受ける状態となる工程を有することを特徴とする請求項１４に記載の眼科装置の制御方法。
【請求項１６】
前記照射位置が前記範囲外であると判断された場合、前記第２の光を小さい光束径に変更する工程を有することを特徴とする請求項１３乃至１５のいずれか１項に記載の眼科装置の制御方法。
【請求項１７】
被検眼の断層画像を取得するための第１の光と、該被検眼の眼底画像を取得するためであり且つ該第１の光の光束径よりも大きい光束径である第２の光とをそれぞれ該被検眼に照射する工程と、
前記被検眼における前記第１の光の照射位置と該被検眼の眼軸とのずれ量を示す情報に基づいて前記第２の光を小さい光束径に変更する工程と、
を有することを特徴とする眼科装置の制御方法。
【請求項１８】
前記変更する工程における光束径の変更に応じて可視光である前記第２の光により前記
被検眼の眼底画像を取得する工程を有することを特徴とする請求項１６または請求項１７に記載の眼科装置の制御方法。
【請求項１９】
前記照射位置が前記範囲外であると判断された場合、前記被検眼における前記第２の光の照射位置を移動する工程を有することを特徴とする請求項１３乃至１５のいずれか１項に記載の眼科装置の制御方法。
【請求項２０】
被検眼の断層画像を取得するための第１の光と、該被検眼の眼底画像を取得するためであり且つ該第１の光の光束径よりも大きい光束径である第２の光とをそれぞれ該被検眼に照射する工程と、
前記被検眼における前記第１の光の照射位置と該被検眼の眼軸とのずれ量を示す情報に基づいて該被検眼における前記第２の光の照射位置を移動する工程と、
を有することを特徴とする眼科装置の制御方法。
【請求項２１】
前記移動する工程における照射位置の移動に応じて可視光である前記第２の光により前記被検眼の眼底画像を取得する工程を有することを特徴とする請求項１９または請求項２０に記載の眼科装置の制御方法。
【請求項２２】
被検眼の断層画像を取得するための第１の光と、該被検眼の屈折力を取得するためであり且つ該第１の光の光束径よりも大きい光束径である第２の光とをそれぞれ被検眼に照射する工程と、
前記被検眼における前記第１の光の照射位置と該被検眼の眼軸とのずれ量を示す情報に基づいて該照射位置が前記屈折力の取得可能な範囲内か否かを判断する工程と、
を有することを特徴とする眼科装置の制御方法。
【請求項２３】
請求項１３乃至２２のいずれか１項に記載の眼科装置の制御方法の各工程をコンピュータに実行させることを特徴とするプログラム。
【手続補正２】
【補正対象書類名】明細書
【補正対象項目名】発明の名称
【補正方法】変更
【補正の内容】
【発明の名称】眼科装置および眼科装置の制御方法、そのプログラム
【手続補正３】
【補正対象書類名】明細書
【補正対象項目名】０００１
【補正方法】変更
【補正の内容】
【０００１】
本発明は眼科装置および眼科装置の制御方法、そのプログラムに関し、特に被検眼の眼底の２次元画像である表面画像および３次元画像である断層画像を取得するために用いられる眼科装置および眼科装置の制御方法に関する。
【手続補正４】
【補正対象書類名】明細書
【補正対象項目名】０００６
【補正方法】変更
【補正の内容】
【０００６】
本発明は、上記課題に鑑み、被検眼の断層画像の撮像と眼底画像の撮像とを行うに際し、
これらの撮像におけるアライメント位置の調整操作の煩雑さを軽減することが可能となる眼科装置および眼科装置の制御方法、そのプログラムの提供を目的とする。
【手続補正５】
【補正対象書類名】明細書
【補正対象項目名】０００７
【補正方法】変更
【補正の内容】
【０００７】
本発明は、つぎのように構成した眼科装置および眼科装置の制御方法、そのプログラムを提供するものである。
本発明の眼科装置は、被検眼の断層画像を取得するための第１の光と、該被検眼の眼底画像を取得するためであり且つ該第１の光の光束径よりも大きい光束径である第２の光とをそれぞれ該被検眼に照射する照射手段と、
前記被検眼における前記第１の光の照射位置と該被検眼の眼軸とのずれ量を示す情報に基づいて該照射位置が前記眼底画像の取得可能な範囲内か否かを判断する判断手段と、
を有することを特徴とする。
また、本発明の眼科装置は、被検眼の断層画像を取得するための第１の光と、該被検眼の眼底画像を取得するためであり且つ該第１の光の光束径よりも大きい光束径である第２の光とをそれぞれ該被検眼に照射する照射手段と、
前記被検眼における前記第１の光の照射位置と該被検眼の眼軸とのずれ量を示す情報に基づいて前記第２の光を小さい光束径に変更する変更手段と、
を有することを特徴とする。
また、本発明の眼科装置は、被検眼の断層画像を取得するための第１の光と、該被検眼の眼底画像を取得するためであり且つ該第１の光の光束径よりも大きい光束径である第２の光とをそれぞれ該被検眼に照射する照射手段と、
前記被検眼における前記第１の光の照射位置と該被検眼の眼軸とのずれ量を示す情報に基づいて該被検眼における前記第２の光の照射位置を移動する移動手段と、
を有することを特徴とする。
また、本発明の眼科装置は、被検眼の断層画像を取得するための第１の光と、該被検眼の屈折力を取得するためであり且つ該第１の光の光束径よりも大きい光束径である第２の光とをそれぞれ被検眼に照射する照射手段と、
前記被検眼における前記第１の光の照射位置と該被検眼の眼軸とのずれ量を示す情報に基づいて該照射位置が前記屈折力の取得可能な範囲内か否かを判断する判断手段と、
を有することを特徴とする。
また、本発明の眼科装置の制御方法は、被検眼の断層画像を取得するための第１の光と、該被検眼の眼底画像を取得するためであり且つ該第１の光の光束径よりも大きい光束径である第２の光とをそれぞれ該被検眼に照射する工程と、
前記被検眼における前記第１の光の照射位置と該被検眼の眼軸とのずれ量を示す情報に基づいて該照射位置が前記眼底画像の取得可能な範囲内か否かを判断する工程と、
を有することを特徴とする。
また、本発明の眼科装置の制御方法は、被検眼の断層画像を取得するための第１の光と、該被検眼の眼底画像を取得するためであり且つ該第１の光の光束径よりも大きい光束径である第２の光とをそれぞれ該被検眼に照射する工程と、
前記被検眼における前記第１の光の照射位置と該被検眼の眼軸とのずれ量を示す情報に基づいて前記第２の光を小さい光束径に変更する工程と、
を有することを特徴とする。
また、本発明の眼科装置の制御方法は、被検眼の断層画像を取得するための第１の光と、該被検眼の眼底画像を取得するためであり且つ該第１の光の光束径よりも大きい光束径である第２の光とをそれぞれ該被検眼に照射する工程と、
前記被検眼における前記第１の光の照射位置と該被検眼の眼軸とのずれ量を示す情報に基づいて該被検眼における前記第２の光の照射位置を移動する工程と、
を有することを特徴とする。
また、本発明の眼科装置の制御方法は、被検眼の断層画像を取得するための第１の光と、該被検眼の屈折力を取得するためであり且つ該第１の光の光束径よりも大きい光束径である第２の光とをそれぞれ被検眼に照射する工程と、
前記被検眼における前記第１の光の照射位置と該被検眼の眼軸とのずれ量を示す情報に基づいて該照射位置が前記屈折力の取得可能な範囲内か否かを判断する工程と、
を有することを特徴とする。
また、本発明のプログラムは、上記したいずれかの眼科装置の制御方法の各工程をコンピュータに実行させることを特徴とする。
【手続補正６】
【補正対象書類名】明細書
【補正対象項目名】０００８
【補正方法】変更
【補正の内容】
【０００８】
本発明によれば、被検眼の断層画像の撮像と眼底画像の撮像とを行うに際し、  これらの撮像におけるアライメント位置の調整操作の煩雑さを軽減することが可能となる眼科装置および眼科装置の制御方法、そのプログラムを実現することができる。
【手続補正７】
【補正対象書類名】明細書
【補正対象項目名】００１１
【補正方法】変更
【補正の内容】
【００１１】
［実施例１］
実施例１として、本発明を適用した光画像撮像装置（眼科装置）およびその制御方法の構成例について説明する。
本実施例に用いられる光画像撮像装置は、光干渉に基づく情報を用い被検眼の眼底の３次元の断層画像を撮像する断層画像撮像部と、該断層画像撮像部よりも大きい観察瞳孔径（第１の光の光束径よりも大きい光束径である第２の光）により２次元の眼底画像を撮像する眼底画像撮像部を備える。
本実施例の光画像撮像装置の構成例である眼科装置の一例を、図４（ａ）と図４（ｂ）に示す。
図４（ａ）は、眼科装置の側面図であり、２００は眼科装置、１００は干渉計部、９００は眼底カメラ本体部、４００はアダプター、５００はカメラ部である。ここで、眼底カメラ本体部９００とアダプター４００とカメラ部５００とは光学的に接続されている。